(57)【特許請求の範囲】
【請求項１】
飛翔昆虫を誘引して捕獲する飛翔昆虫捕獲器であって、
前記飛翔昆虫が付着する粘着シートと、
前記粘着シートが設置される本体と、
前記粘着シートを覆うように装着されるカバー部と、
前記カバー部に設けられる前記飛翔昆虫が侵入する侵入口と、
を備え、
前記本体に前記カバー部を装着したとき、前記本体と前記カバー部との間に前記粘着シートを収容する内部空間が形成されるとともに、当該内部空間が前記侵入口を介して前記飛翔昆虫が生息する外部環境と連通するように構成され、
前記粘着シートは、ＰＣＣＳ色相環において、色相番号ｎ１[ｎ１：４（赤みの橙）〜６（黄みの橙）]に着色された背景領域と、色相番号（ｎ２＋２）〜（ｎ２＋４）[ｎ２←ｎ１：６（黄みの橙）〜１０（黄緑）]に着色された複数の島状部とからなる海島模様を備え、
前記海島模様において、前記島状部は平均径３〜２０ｍｍの円形部又は楕円形部として構成される飛翔昆虫捕獲器。
【請求項２】
前記粘着シートは、ＰＣＣＳ色相環において、色相番号４〜５に着色された背景領域と、色相番号７〜９に着色された複数の島状部とからなる海島模様を備える請求項１に記載の飛翔昆虫捕獲器。
【請求項３】
前記海島模様において、前記島状部は前記背景領域の中に８個以上設けられる請求項１又は２に記載の飛翔昆虫捕獲器。
【請求項４】
前記本体と前記カバー部とはヒンジ接続され、前記カバー部を前記本体に合わせるように、前記カバー部を前記本体の方向に回動させて折り込むことにより、前記本体に前記カバー部が装着される請求項１〜３の何れか一項に記載の飛翔昆虫捕獲器。
【請求項５】
前記侵入口は、前記カバー部の幅に対する垂直二等分線を中心として、線対称となる形態で複数設けられる請求項１〜４の何れか一項に記載の飛翔昆虫捕獲器。
【請求項６】
前記侵入口は、前記カバー部の幅に対する垂直二等分線と前記カバー部の長さに対する垂直二等分線との交点を中心として、同心円状となる形態で複数設けられる請求項１〜５の何れか一項に記載の飛翔昆虫捕獲器。
【請求項７】
前記侵入口は、１個あたりの開口面積が２〜１２ｃｍ２である請求項１〜６の何れか一項に記載の飛翔昆虫捕獲器。
【請求項８】
前記本体に前記カバー部を装着したとき、前記カバー部を前記本体から離間する方向に湾曲させた状態で支持する支持部を備える請求項１〜７の何れか一項に記載の飛翔昆虫捕獲器。
【請求項９】
前記支持部は、前記カバー部を前記本体から最大で１．５〜４ｃｍ離間させるように構成されている請求項８に記載の飛翔昆虫捕獲器。
【請求項１０】
前記本体に前記カバー部を装着したとき、前記本体に設置された前記粘着シートを固定する押さえ部を備える請求項１〜９の何れか一項に記載の飛翔昆虫捕獲器。
【請求項１１】
前記本体は、吊り下げ用のフック部を備える請求項１〜１０の何れか一項に記載の飛翔昆虫捕獲器。
【請求項１２】
前記カバー部は、前記飛翔昆虫を誘引する誘引剤が収納される収納部を備え、前記誘引剤は、飛翔昆虫誘引成分として、酢酸、果実酢、穀物酢、果実、酒類、糖類、及びこれらのフレーバーからなる群から選択される少なくとも一種を含有する請求項１〜１１の何れか一項に記載の飛翔昆虫捕獲器。
【請求項１３】
前記誘引剤は、飛翔昆虫誘引成分として、魚醤、及びイソプロピルアルコールからなる群から選択される少なくとも一種をさらに含有する請求項１２に記載の飛翔昆虫捕獲器。
【発明の詳細な説明】
【技術分野】
【０００１】
本発明は、飛翔昆虫を誘引して捕獲する飛翔昆虫捕獲器に関する。
【背景技術】
【０００２】
飛翔昆虫を誘引して捕獲する飛翔昆虫捕獲器として、従来から様々なタイプのものが提案されている。例えば、蓋に昆虫の侵入口を設けるとともに、内部に水溶性の誘引剤と、捕獲剤である油脂とを収納した飛翔昆虫用捕獲器があった（例えば、特許文献１を参照）。特許文献１の飛翔昆虫用捕獲器は、誘引剤によって昆虫を捕獲器内に誘引し、誘引した昆虫の体に油脂をまとわりつかせて窒息死させるものである。【０００３】
また、粘着性が付与された長尺状の基体に飛翔害虫を粘着させて捕獲する飛翔害虫捕獲器があった（例えば、特許文献２を参照）。特許文献２の飛翔害虫捕獲器は、長尺状の基体を支持部材で支持した状態で使用されるものである。支持部材には誘引剤が保持されており、飛翔害虫が誘引剤に誘引されて支持部材の方に近づくと、飛翔害虫の体が基体の粘着部に付着し、捕獲されるようになっている。【０００４】
さらに、容器本体に虫捕獲用粘着剤を塗布したシート体を収容するとともに、虫を誘引するための虫誘引部を設けた虫捕獲器があった（例えば、特許文献３を参照）。特許文献３の虫捕獲器は、虫誘引部を虫誘引性色彩部として構成し、その虫誘引性色彩部を青色の水玉模様とすることで、高い虫誘引効果が得られるとされている。
【先行技術文献】
【特許文献】
【０００５】
【特許文献１】特開２００２−２７２３４４号公報
【特許文献２】特開２００３−７９３０１号公報
【特許文献３】特開２００２−２５３１０１号公報
【発明の概要】
【発明が解決しようとする課題】
【０００６】
飛翔昆虫捕獲器には、昆虫（害虫）を捕獲器内に誘引する誘引性能と、昆虫が捕獲器内に侵入し易い構造的な工夫とを両立させることが要求される。【０００７】
この点、特許文献１の飛翔昆虫用捕獲器は、誘引剤及び捕獲剤として液状のものが使用されているため、液がこぼれたり、液漏れし易いという構造的な問題があった。また、捕獲剤である油脂は本質的には殺虫成分ではないため、捕獲器内で昆虫が生き残る可能性がある。この場合、捕獲器内は湿潤環境にあるため、新たに幼虫が発生する可能性もある。【０００８】
特許文献２の飛翔害虫捕獲器は、基体の粘着表面に飛翔害虫を付着させて捕獲する方式であるため、液こぼれ等の心配はないが、使用者にとって必ずしも使い勝手が良いものではない。また、基体を支持する支持部材に誘引剤を保持しているが、基体及び支持部材の略全体が外部に露出しているため、飛翔害虫が誘引剤に誘引されて基体に近づいても容易に逃亡することができ、飛翔害虫を確実に捕獲できるとは限らない。【０００９】
特許文献３の虫捕獲器は、虫が誘引される開口部の面積が大きく、しかもその開口部は虫を捕獲する誘引マットに対して垂直な方向を向いている。さらに、各開口部は誘引マットから離間するように上方に向かって並列して設けられている。このような構造では、捕獲器内に虫が誘引されても容易に逃亡することができる。また、このような虫捕獲器は組み立てが容易ではなく、商品としての包装形態（パッケージ）を簡素化することが困難である。【００１０】
なお、特許文献３を初めとする従来技術において、昆虫が誘引され易い色について検討されているものが散見されるが、特にどのような色の組み合わせが飛翔昆虫に対して誘引効果が優れているのか、これまで十分に研究されていたとは言えない。【００１１】
本発明は、上記問題点に鑑みてなされたものであり、飛翔昆虫に対して優れた誘引性を示す色の組み合わせを解明するとともに、そのような色の組み合わせを利用した誘引性能及び捕獲性能の高い飛翔昆虫捕獲器を提供することを目的とする。
【課題を解決するための手段】
【００１２】
上記課題を解決するための本発明に係る飛翔昆虫捕獲器の特徴構成は、
飛翔昆虫を誘引して捕獲する飛翔昆虫捕獲器であって、
前記飛翔昆虫が付着する粘着シートと、
前記粘着シートが設置される本体と、
前記粘着シートを覆うように装着されるカバー部と、
前記カバー部に設けられる前記飛翔昆虫が侵入する侵入口と、
を備え、
前記本体に前記カバー部を装着したとき、前記本体と前記カバー部との間に前記粘着シートを収容する内部空間が形成されるとともに、当該内部空間が前記侵入口を介して前記飛翔昆虫が生息する外部環境と連通するように構成され、
前記粘着シートは、ＰＣＣＳ色相環において、色相番号ｎ１[ｎ１：４（赤みの橙）〜６（黄みの橙）]に着色された背景領域と、色相番号（ｎ２＋２）〜（ｎ２＋４）[ｎ２←ｎ１：６（黄みの橙）〜１０（黄緑）]に着色された複数の島状部とからなる海島模様を備え、
前記海島模様において、前記島状部は平均径３〜２０ｍｍの円形部又は楕円形部として構成されることにある。
【００１３】
本構成の飛翔昆虫捕獲器によれば、本体にカバー部を装着すると、本体とカバー部との間に粘着シートを収容する内部空間が形成されるとともに、当該内部空間が侵入口を介して飛翔昆虫が生息する外部環境と連通することになる。このため、飛翔昆虫が飛翔昆虫捕獲器の近傍まで誘引されると、誘引された飛翔昆虫は内部空間に侵入し易く、高い確率で捕獲することができる。
ここで、飛翔昆虫の誘引性について鋭意検討したところ、飛翔昆虫は、ＰＣＣＳ色相環において、色相番号ｎ１[ｎ１：４（赤みの橙）〜６（黄みの橙）]に着色された背景領域と、色相番号（ｎ２＋２）〜（ｎ２＋４）[ｎ２←ｎ１：６（黄みの橙）〜１０（黄緑）]に着色された複数の島状部とからなる海島模様に対して効果的に誘引されることを突き止めた。そこで、飛翔昆虫捕獲器の内部空間に収容する粘着シートとして、前記海島模様を備えるものを採用した。その結果、飛翔昆虫捕獲器の近傍に誘引された飛翔昆虫を確実に内部空間にまで導き、効率的に捕獲することが可能となった。
このように、本構成の飛翔昆虫捕獲器は、飛翔昆虫に対する誘引機能と捕獲機能とを連携させることで高い相乗効果が得られ、有用な製品となり得る。
また、本構成の飛翔昆虫捕獲器によれば、粘着シートが備える海島模様のうち、島状部を平均径３〜２０ｍｍの円形部又は楕円形部として構成しているため、飛翔昆虫が海島模様を認識し易く、飛翔昆虫捕獲器に近づいてきた飛翔昆虫を内部空間に効率よく誘引し、捕獲することができる。
【００１４】
本発明の飛翔昆虫捕獲器において、
前記粘着シートは、ＰＣＣＳ色相環において、色相番号４〜５に着色された背景領域と、色相番号７〜９に着色された複数の島状部とからなる海島模様を備えることが好ましい。【００１５】
本構成の飛翔昆虫捕獲器によれば、粘着シートが備える海島模様として、上記のより好ましい色相の組み合わせが選択されるため、飛翔昆虫捕獲器に近づいてきた飛翔昆虫を粘着シートが設置されている内部空間に確実に誘引し、捕獲することができる。【００１８】
本発明の飛翔昆虫捕獲器において、
前記海島模様において、前記島状部は前記背景領域の中に８個以上設けられることが好ましい。【００１９】
本構成の飛翔昆虫捕獲器によれば、粘着シートが備える海島模様の背景領域の中に島状部が８個以上設けられるため、飛翔昆虫が海島模様を認識し易く、飛翔昆虫捕獲器に近づいてきた飛翔昆虫を内部空間に効率よく誘引し、捕獲することができる。【００２０】
本発明の飛翔昆虫捕獲器において、
前記本体と前記カバー部とはヒンジ接続され、前記カバー部を前記本体に合わせるように、前記カバー部を前記本体の方向に回動させて折り込むことにより、前記本体に前記カバー部が装着されることが好ましい。【００２１】
本構成の飛翔昆虫捕獲器によれば、カバー部を本体に合わせるように、カバー部を本体の方向に回動させて折り込むだけの簡単な操作で、本体にカバー部を装着することができる。このように、飛翔昆虫捕獲器の組み立てが容易であるため、商品としての包装形態を簡素化することができる。その結果、製品のコストダウンにも寄与し得るものとなる。【００２２】
本発明の飛翔昆虫捕獲器において、
前記侵入口は、前記カバー部の幅に対する垂直二等分線を中心として、線対称となる形態で複数設けられることが好ましい。【００２３】
本構成の飛翔昆虫捕獲器によれば、侵入口は、カバー部の幅に対する垂直二等分線を中心として、線対称となる形態で複数設けられるため、侵入口を比較的大きい開口面積で設けることができ、その結果、種々の飛翔昆虫に適用することが可能となる。【００２４】
本発明の飛翔昆虫捕獲器において、
前記侵入口は、前記カバー部の幅に対する垂直二等分線と前記カバー部の長さに対する垂直二等分線との交点を中心として、同心円状となる形態で複数設けられることが好ましい。【００２５】
本構成の飛翔昆虫捕獲器によれば、侵入口は、カバー部の幅に対する垂直二等分線とカバー部の長さに対する垂直二等分線との交点を中心として、同心円状となる形態で複数設けられるため、侵入口をカバー部の表面全体に均等に設けることができ、その結果、種々の飛翔昆虫に適用することが可能となる。【００２６】
本発明の飛翔昆虫捕獲器において、
前記侵入口は、１個あたりの開口面積が２〜１２ｃｍ２であることが好ましい。【００２７】
本構成の飛翔昆虫捕獲器によれば、侵入口は、１個あたりの開口面積が２〜１２ｃｍ２であるため、例えば、コバエ類やハエ類等の飛翔昆虫に適用することが可能となる。【００２８】
本発明の飛翔昆虫捕獲器において、
前記本体に前記カバー部を装着したとき、前記カバー部を前記本体から離間する方向に湾曲させた状態で支持する支持部を備えることが好ましい。【００２９】
本構成の飛翔昆虫捕獲器によれば、支持部によってカバー部が湾曲された状態で支持されるため、飛翔昆虫を侵入させる内部空間を十分に確保することができる。【００３０】
本発明の飛翔昆虫捕獲器において、
前記支持部は、前記カバー部を前記本体から最大で１．５〜４ｃｍ離間させるように構成されていることが好ましい。【００３１】
本構成の飛翔昆虫捕獲器によれば、支持部によって、カバー部を本体から最大で１．５〜４ｃｍ離間させることができるため、例えば、コバエ類やハエ類等の種々の飛翔昆虫に適用することが可能となる。【００３２】
本発明の飛翔昆虫捕獲器において、
前記本体に前記カバー部を装着したとき、前記本体に設置された前記粘着シートを固定する押さえ部を備えることが好ましい。【００３３】
本構成の飛翔昆虫捕獲器によれば、本体に設置された粘着シートを押さえ部によって固定できるため、例えば、飛翔昆虫捕獲器を立て掛けた状態で使用しても粘着シートが位置ずれすることがなく、飛翔昆虫捕獲器の性能を発揮することができる。【００３４】
本発明の飛翔昆虫捕獲器において、
前記本体は、吊り下げ用のフック部を備えることが好ましい。【００３５】
本構成の飛翔昆虫捕獲器によれば、本体が吊り下げ用のフック部を備えるため、例えば、高所にフック部を掛けた状態とすれば、効率よく飛翔昆虫を捕獲することができる。【００３６】
本発明の飛翔昆虫捕獲器において、
前記カバー部は、前記飛翔昆虫を誘引する誘引剤が収納される収納部を備え、前記誘引剤は、飛翔昆虫誘引成分として、酢酸、果実酢、穀物酢、果実、酒類、糖類、及びこれらのフレーバーからなる群から選択される少なくとも一種を含有することが好ましい。【００３７】
本構成の飛翔昆虫捕獲器によれば、カバー部の収納部に収納された誘引剤から飛翔昆虫誘引成分を揮散させることで、粘着シートの海島模様と合わせて相乗的に飛翔昆虫を誘引することができる。また、飛翔昆虫誘引成分として、上記物質を使用しているため、特にコバエ類に対して高い誘引効果を発揮することができる。【００３８】
本発明の飛翔昆虫捕獲器において、
前記誘引剤は、飛翔昆虫誘引成分として、魚醤、及びイソプロピルアルコールからなる群から選択される少なくとも一種をさらに含有することが好ましい。【００３９】
本構成の飛翔昆虫捕獲器によれば、飛翔昆虫誘引成分として、追加的に上記物質を使用しているため、コバエ類に加えてハエ類にも高い誘引効果を発揮することができる。
【図面の簡単な説明】
【００４０】
【図１】図１は、実施形態に係る飛翔昆虫捕獲器の使用状態の説明図である。
【図２】図２は、実施形態に係る飛翔昆虫捕獲器の組立手順の説明図である。
【図３】図３は、粘着シートに付すことができる海島模様を例示したイメージ図である。
【図４】図４は、別実施形態に係る飛翔昆虫捕獲器の使用状態の説明図である。
【発明を実施するための形態】
【００４１】
以下、本発明の飛翔昆虫捕獲器に関する実施形態について、図１〜図４を参照しながら説明する。ただし、本発明は、以下に説明する実施形態や図面に記載される構成に限定されることを意図しない。
【００４２】
〔飛翔昆虫捕獲器の全体構成〕
図１は、本発明の実施形態に係る飛翔昆虫捕獲器１００の使用状態の説明図である。図１（ａ）は、飛翔昆虫捕獲器１００の斜視図である。図１（ｂ）は、飛翔昆虫捕獲器１００の正面図である。図２は、本発明の実施形態に係る飛翔昆虫捕獲器１００の組立手順の説明図である。図２（ａ）は、飛翔昆虫捕獲器１００を展開した状態の分解斜視図である。図２（ｂ）は、飛翔昆虫捕獲器１００を組み立てる途中状態の斜視図である。図２（ｃ）は、飛翔昆虫捕獲器１００を組み立てた状態の斜視図である。
【００４３】
飛翔昆虫捕獲器１００は、コバエ類（例えば、ショウジョウバエ、ノミバエ、クロバネキノコバエ、キノコバエ、チョウバエ）や、ハエ類（例えば、イエバエ、クロバエ、キンバエ、ニクバエ）等の飛翔昆虫を誘引して捕獲する装置であり、図１に示すように、立直状態（例えば、軒先に吊るした状態）で使用される。
【００４４】
飛翔昆虫捕獲器１００は、本体１０と、本体１０に装着されるカバー部２０とを備えている。図２（ａ）に示すように、本体１０には平坦な面状部１１が形成され、面状部１１に飛翔昆虫が付着する粘着シート３０が設置される。本発明では、この粘着シート３０に大きな特徴があり、その構成については、後述の「粘着シート」の項目で詳しく説明する。本体１０の先端側には、本体側接合部１２が形成され、本体側接合部１２に設けられた凸部１２ａを後述するカバー部２０のカバー側接合部２２に設けられた凹部２２ａに合わせて差し込むことで、本体１０とカバー部２０とが接合され、飛翔昆虫捕獲器１００の外形が形成される。また、本体１０には、面状部１１の幅方向両側に支持部１３が設けられる。支持部１３は、後述する飛翔昆虫捕獲器１００の内部空間Ｓの形成に寄与する。さらに、本体１０には、図２（ａ）に示すように、フック１４が一体に設けられており、フック１４を本体１０の裏側に折り曲げると、図１（ａ）に示すように、飛翔昆虫捕獲器１００を吊り下げて使用することが可能となる。なお、フック１４を本体１０から折り曲げない状態で、飛翔昆虫捕獲器１００を使用することも可能である。
【００４５】
カバー部２０は、本体１０に設置した粘着シート３０を覆うように、本体１０に装着される。カバー部２０には、飛翔昆虫が侵入するための侵入口４０が設けられる。侵入口４０は、様々な形状及び配置に構成できるが、本実施形態では、図１（ｂ）に示すように、カバー部２０の幅に対する垂直二等分線ｙとカバー部２０の長さに対する垂直二等分線ｘとの交点を中心として、同心円状となる形態で複数設けられる。図１（ｂ）では、侵入口４０は、１個の中央開口部４０ａと、それを取り囲むように配置された８個の湾曲開口部４０ｂとの合計９個の開口部によって構成され、１個あたりの開口面積は２〜１２ｃｍ２、好ましくは２〜８ｃｍ２、より好ましくは２〜５ｃｍ２設定されている。また、図２（ａ）に示すように、カバー部２０には、カバー部２０を本体１０に装着したとき、本体１０に設置された粘着シート３０を固定する押さえ部５０が設けられる。押さえ部５０の機能については、次の「飛翔昆虫捕獲器の組み立て」の項目の中で説明する。さらに、カバー部２０には、飛翔昆虫を誘引する誘引剤を収納するための収納部６０が設けられる。収納部６０に収納する誘引剤については、後述の「誘引剤」の項目で詳述する。
【００４６】
本体１０及びカバー部２０の構成材料は、成形性に優れるとともに、後述する誘引剤に含まれる飛翔昆虫誘引成分を透過させないものが使用される。そのような材料として、例えば、ポリエステル、ポリエチレンテレフタレート、ポリブチレンテレフタレート、ポリカーボネート、ポリスチレン等の樹脂材料が挙げられる。
【００４７】
〔飛翔昆虫捕獲器の組み立て〕
飛翔昆虫捕獲器１００は、通常、コンパクト化又は薄型化した包装形態（パッケージ）で販売されるため、使用の際には飛翔昆虫捕獲器１００をパッケージから取り出して組み立てる必要がある。飛翔昆虫捕獲器１００の組み立て作業は、図２（ａ）〜（ｃ）の手順に従って行う。使用前の飛翔昆虫捕獲器１００は、本体１０に対してカバー部２０が展開された状態となっている。具体的には、図２（ａ）に示すように、本体１０及びカバー部２０は、長さ方向に並置した状態で、端部どうしがヒンジ接続されている。組み立て前に本体１０の面状部１１に粘着シート３０を設置する。粘着シート３０は、面状部１１に接触する載置面（図２（ａ）では裏側の面）と、飛翔昆虫の体に付着する粘着剤が塗布された粘着面（図２（ａ）では表側の面）とを備えており、粘着面は使用直前まで離けい紙（図示せず）によって保護されている。面状部１１に粘着シート３０を設置する際には、面状部１１に両面テープを貼着し、その上から粘着シート３０を載置する。なお、粘着シート３０の両面を粘着面として構成し、一方の粘着面を面状部１１に直接貼り付けるようにしても構わない。面状部１１に粘着シート３０を設置したら、離けい紙を剥離して粘着面を露出させるとともに、カバー部２０の収納部６０に誘引剤を注入する。
【００４８】
次に、図２（ｂ）に示すように、カバー部２０を本体１０の方向に回動させて折り込む。収納部６０に注入した誘引剤が流動性を有する場合は、誘引剤がこぼれないように本体１０をカバー部２０の方向に回動させることも可能である。
【００４９】
さらに、図２（ｃ）に示すように、本体１０の本体側接合部１２に設けられた凸部１２ａが、カバー部２０のカバー側接合部２２に設けられた凹部２２ａに差し込まれるように、カバー部２０の端部と本体１０の端部とを合わせて接合する。このとき、カバー部２０に設けられた押さえ部５０が本体１０に設置された粘着シート３０の表面を押圧し、粘着シート３０の位置が固定される。従って、飛翔昆虫捕獲器１００を立て掛けた状態で使用することが可能となる。なお、押さえ部５０が接触する粘着シート３０の表面は、使用性の点を考慮し、粘着剤が塗布されていない非粘着面としても構わない。
【００５０】
本体１０には、さらに、面状部１１の幅方向両側に２つの支持部１３が設けられており、支持部１３は本体１０から１．５〜４ｃｍ程度突出している。カバー部２０を本体１０に装着すると、カバー部２０は本体１０から離間する方向に湾曲した状態で支持部１３によって支持され、その結果、本体１０の面状部１１に設置された粘着シート３０と、カバー部２０の湾曲面とによって囲まれた内部空間Ｓが形成される。内部空間Ｓは、カバー部２０に設けられた侵入口４０を介して飛翔昆虫が生息する外部環境と連通する。ここで、支持部１３は、カバー部２０の長さ方向において、中央よりもカバー側接合部２２側に位置するように設けることが好ましい。このように支持部１３を設けると、例えば、飛翔昆虫捕獲器１００を立て掛けた姿勢で使用した場合、カバー部２０の湾曲面の頂部が飛翔昆虫捕獲器１００の上寄りに位置することになって目立つため、飛翔昆虫が内部空間Ｓに侵入し易くなる。内部空間Ｓのサイズは、横幅が６〜１５ｃｍ、長さが１０〜２０ｃｍ、高さが最大（粘着シート３０から侵入口４０までの距離）で１．５〜４ｃｍとなるように設計される。
【００５１】
以上のように、飛翔昆虫捕獲器１００は容易に組み立てることができるため、商品としての包装形態を簡素化することができる。その結果、製品のコストダウンにも寄与し得るものとなる。
【００５２】
〔粘着シート〕
本発明において、粘着シート３０は、飛翔昆虫の体に付着して捕獲するだけでなく、飛翔昆虫を飛翔昆虫捕獲器１００の内部空間Ｓに誘引する機能も有している。本発明者らは、飛翔昆虫の誘引性について種々検討を行い、粘着シート３０に特定の色の組み合わせで着色した海島模様を付けることで、飛翔昆虫を効果的に誘引できることを突き止めた。本発明者らによる検討の結果、飛翔昆虫は、ＰＣＣＳ色相環において、色相番号ｎ１[ｎ１：４（赤みの橙）〜６（黄みの橙）]に着色された背景領域Ｐと、色相番号（ｎ２＋２）〜（ｎ２＋４）[ｎ２←ｎ１：６（黄みの橙）〜１０（黄緑）]に着色された複数の島状部Ｑとからなる海島模様に対して効果的に誘引されることが今般新たな知見として判明した。ここで、「ｎ２←ｎ１」は、ｎ１の値が決まった場合、そのｎ１の値をｎ２に代入するという意味である。また、ＰＣＣＳ色相環とは、２（赤）、８（黄）、１２（緑）、１８（青）の４原色をベースとし、この４原色及び当該４原色を補間する２０種の中間色からなる２４色相を知覚的に等歩度に移行するように円環状に配列したものである。例示すると、粘着シート３０に付ける海島模様として、背景領域Ｐとして、色相番号ｎ１＝４（赤みの橙）で着色されたものを用いる場合、島状部Ｑは、ｎ２にｎ１の値「４」を代入し、色相番号（ｎ２＋２）＝４＋２＝６（黄みの橙）で着色したもの、ないし色相番号（ｎ２＋４）＝４＋４＝８（黄）で着色したものを用いる。また、背景領域Ｐとして、色相番号ｎ１＝６（黄みの橙）で着色されたものを用いる場合、島状部Ｑは、ｎ２にｎ１の値「６」を代入し、色相番号（ｎ２＋２）＝６＋２＝８（黄）で着色したもの、ないし色相番号（ｎ２＋４）＝６＋４＝１０（黄緑）で着色したものを用いる。海島模様に付する色の組み合わせとしては、ＰＣＣＳ色相環において、背景領域を色相番号４〜５に着色し、島状領域を色相番号７〜９に着色したものが特に好ましい。このように粘着シート３０の海島模様を配色すると、飛翔昆虫捕獲器１００の近傍に誘引された飛翔昆虫を確実に内部空間Ｓにまで導き、効率的に捕獲することが可能となる（詳細については、後述の実施例で説明する）。本実施形態の飛翔昆虫捕獲器１００は、飛翔昆虫に対する誘引機能と捕獲機能とを連携させたものであり、高い相乗効果を奏するものとなる。
【００５３】
背景領域Ｐと島状部Ｑとから構成される海島模様において、島状部Ｑは背景領域Ｐの中に８個以上設けられることが好ましい。また、島状部Ｑは平均径３〜２０ｍｍの円形部又は楕円形部として構成されることが好ましい。ここで、「円形部」は、その形状を厳密に規定する必要はなく、視覚的に円形をしていればよい。従って、幾何学的に完全な円形のものだけでなく、略円形のものも含まれる。同様に、「楕円形部」についても、幾何学的に完全な楕円形のものだけでなく、略楕円形のものも含まれる。なお、島状部Ｑが楕円形部の場合、平均径は長径と短径との平均長とする。このような海島模様であれば、飛翔昆虫が認識し易くなるため、飛翔昆虫が飛翔昆虫捕獲器１００に近づいてきた場合、その飛翔昆虫は侵入口４０を通して海島模様を視認することができる。その結果、飛翔昆虫は、内部空間Ｓに効率よく誘引され、粘着シート３０によって捕獲することができる。
【００５４】
海島模様については、種々のバリエーションが考えられる。図３は、粘着シート３０に付すことができる海島模様を例示したイメージ図である。図３（ａ）は、最も典型的なパターンを有する海島模様であり、縦長の長方形の背景領域Ｐに対して８個の円形島状部Ｑ１を４個ずつ二列に並べている。各列を構成する円形島状部Ｑ１は、横方向で位置がずれているが、横方向を一致させても構わない。図３（ｂ）は、縦長の長方形の背景領域Ｐに対して８個の円形島状部Ｑ１をランダムに配置している。図３（ｃ）は、縦長の長方形の背景領域Ｐに対して８個の楕円形島状部Ｑ２を４個ずつ二列に並べている。各列を構成する楕円形島状部Ｑ２は、横方向で位置がずれているが、横方向を一致させても構わない。また、楕円形島状部Ｑ２の長軸方向を列毎に異ならせてもよい。図３（ｄ）は、縦長の長方形の背景領域Ｐに対して８個の楕円形島状部Ｑ２をランダムに配置している。図３（ｅ）は、縦長の長方形の背景領域Ｐに対して４個の円形島状部Ｑ１と４個の楕円形島状部Ｑ２とをランダムに配置している。円形島状部Ｑ１の個数と楕円形島状部Ｑ２の個数とを異ならせてもよい。図３（ｆ）は、縦長の長方形の背景領域Ｐに対して６個の円形島状部Ｑ１と４個の半円形島状部Ｑ３とを二列に並べている。この場合、島状部Ｑの全体を円形島状部Ｑ１として換算すると、８個の円形島状部Ｑ１を配置したことになる。このように、一部の島状部Ｑが不完全なものであっても、全体として島状部Ｑの個数が所定数以上であれば、通常の海島模様と同等の効果が得られる。
【００５５】
飛翔昆虫捕獲器１００の侵入口４０から内部空間Ｓに侵入し、粘着シート３０の海島模様に誘引された飛翔昆虫は、粘着シート３０の粘着剤に付着することで捕獲される。粘着剤は、粘着シート３０の海島模様を粘着剤の側から視認できるものであれば（すなわち、一定の透明度を有するものであれば）特に限定されず、例えば、ゴム系粘着剤、アクリル系粘着剤、シリコーン系粘着剤等を使用することができる。ゴム系粘着剤には、天然ゴム系粘着剤、スチレン・ブタジエンゴム系粘着剤、再生ゴム系粘着剤、ポリイソブチレン・ブチレンゴム系粘着剤、ブロックコポリマー系粘着剤等が含まれる。これらの粘着剤は、単独又は組み合わせて使用可能である。さらに、粘着剤には、必要に応じて、軟化剤、老化防止剤、架橋剤等を添加することも可能である。
【００５６】
〔誘引剤〕
上述のように、本実施形態の飛翔昆虫捕獲器１００は、粘着シート３０の海島模様によって内部空間Ｓに侵入した飛翔昆虫を誘引することができるが、飛翔昆虫捕獲器１００の外部に生息する飛翔昆虫を飛翔昆虫捕獲器１００に近づけるためには誘引剤を併用することが効果的である。飛翔昆虫捕獲器１００には、カバー部２０に収納部６０が設けられているため、この収納部６０に飛翔昆虫を誘引する誘引剤を収納しておくと、誘引剤は内部空間Ｓに拡散し、さらに侵入口４０から外部環境に揮散する。その結果、粘着シート３０の海島模様と合わせて相乗的に飛翔昆虫を誘引することが可能となる。以下、本発明の飛翔昆虫捕獲器１００において使用可能な誘引剤について説明する。
【００５７】
誘引剤の剤型は、収納部６０からこぼれたり、液漏れしたりしないように、ゲル状のものを使用することが好ましい。ゲル状誘引剤は、有効成分である飛翔昆虫誘引成分を含む液状物をゲル化剤でゲル化したものである。飛翔昆虫誘引成分としては、酢酸、果実酢、穀物酢、果実、酒類、糖類、及びこれらのフレーバー等が挙げられる。これらの飛翔昆虫誘引成分は、特にコバエ類に対して有効な成分である。酢酸としては、通常の合成酢が挙げられる。果実酢としては、バルサミコ酢、ワインビネガー、スダチ酢等が挙げられる。穀物酢としては、黒酢、米酢等が挙げられる。果実酢及び穀物酢については、これらのフレーバーを用いてもよく、そうすることによって、使用量を低減し、天然産原料の不安定な供給懸念を解消することができる。果実としては、リンゴ、バナナ、メロン、オレンジ、マンゴー、キウイ等が挙げられる。酒類としては、ビール、ウィスキー、紹興酒、日本酒、焼酎、ラム酒等が挙げられる。糖類としては、澱粉、黒砂糖、ブドウ糖、ショ糖、三温糖、液糖、デキストリン、マルトース、フルクトース、アラビノース等が挙げられる。また、フレーバーとしては、ビールフレーバー、バルサミコ酢フレーバー、リンゴフレーバー等が挙げられる。さらに、飛翔昆虫誘引成分として、魚醤、及びイソプロピルアルコール等も有効な成分であり、これらは、特にハエ類に対して効果的であり、単独でも効果があるが、他の誘引剤と併用した場合には相乗的に効果を発揮する。上述の飛翔昆虫誘引成分は、単独又は組み合わせて使用可能である。
【００５８】
飛翔昆虫誘引成分には、必要に応じて、誘引効果を有する香料成分を加えることも可能である。かかる香料成分として、プロピレングリコールモノアセテート、プロピオンアルデヒドプロピレングリコールアセタール、酢酸２−メチルブチル、フェニル酢酸、酢酸イソブチル、２−メチルブタノール、コハク酸ジエチル、メチオノール、オクタン酸、４−メトキシメチルフェノール、イソアミルアルコール、ベンズアルデヒド、２−メチル酪酸、イソバレルアルデヒドプロピレングリコールアセタール、２−エチルヘキサン酸、アセトアルデヒドプロピレングリコールアセタール、チオ酪酸メチル、メチオナール、安息香酸、ヘキサナール、２，３，５−トリメチルピラジン、２，３−ペンタンジオン、ジメチルスルフィド、テトラメチルピラジン、２−トリデカノン、２−ノナノン、ビニルグアヤコール、４−エチルグアヤコール等が挙げられる。これらの香料成分は、単独又は組み合わせて使用可能である。
【００５９】
さらに、飛翔昆虫誘引成分には、乳酸製品、果実加工品、野菜抽出物、魚介類、魚介類加工品、魚介類抽出物、食肉、食肉加工品、食品抽出物等の追加成分（なかには、飛翔昆虫誘引成分として用いられるものも含む）を添加することも可能である。乳酸製品としては、カルピス（登録商標）、ヤクルト（登録商標）等の乳酸菌飲料、ヨーグルト、チーズ等が挙げられる。果実加工品としては、フルーツジュース、フルーツゼリー、ドライフルーツ等が挙げられる。野菜抽出物としては、オニオンフレーバー、キャベツフレーバー等が挙げられる。魚介類としては、サバ、カツオ、イワシ、マグロ、イカ等が挙げられる。魚介類加工品としては、カツオブシ、サバブシ、干物、魚粉、魚卵加工品等が挙げられる。魚介類抽出物としては、カツオブシフレーバー、サバブシフレーバー、エビフレーバー、カニフレーバー等が挙げられる。食肉としては、牛肉、豚肉、鶏肉等が挙げられる。食肉加工品としては、ハム、ソーセージ、ベーコン、焼肉等が挙げられる。食品抽出物としては、牛肉エキス、豚肉エキス、鶏肉エキス、ビーフフレーバー、ポークフレーバー、チキンフレーバー、動物性油脂等が挙げられる。上述の追加成分は、単独又は組み合わせて使用可能である。
【００６０】
飛翔昆虫誘引成分を含む液状物をゲル化させるゲル化剤としては、水溶性多糖類及び／又は吸水性樹脂が挙げられる。水溶性多糖類には、グァーガム、キサンタンガム、ラムダカラギーナン、ジュランガム、アラビアガム、ローカストビーンガム、アルギン酸ソーダ等が挙げられる。これらのうち、グァーガム、キサンタンガム、及びラムダカラギーナンは、誘引効果に優れており、製造も容易であるため好ましく使用される。吸水性樹脂には、イソブチレン−無水マレイン酸共重合体、ポリアクリル酸塩系ポリマー、澱粉−ポリアクリル酸塩系ポリマー、ＰＶＡ−ポリアクリル酸塩系ポリマー、ＰＶＡ系ポリマー、カルボキシメチルセルロース系ポリマー等が挙げられる。上記のゲル化剤は、単独又は組み合わせて使用可能である。ゲル化剤は、溶剤としての水に溶解させた状態で使用することが好ましい。
【００６１】
ゲル状誘引剤には、前述した各成分の他に、その他の成分を適宜添加することができる。その他の成分としては、例えば、小麦粉、マッシュルーム、きな粉、乾燥酵母等の食餌成分や基材成分、エタノール（例：発酵エタノール、合成エタノール）等の溶剤、殺菌剤、防腐剤、防黴剤、安定剤、界面活性剤、分散剤、甘味料、苦味剤、ｐＨ調整剤、着色剤等の各種補助成分が挙げられる。上記のその他の成分は、単独又は組み合わせて使用可能である。
【００６２】
ゲル状誘引剤には、誘引性に影響を及ぼさない範囲で殺虫成分を添加することも可能である。殺虫成分としては、天然ピレトリン、アレスリン、フラメトリン、プラレトリン、レスメトリン、フタルスリン、トランスフルトリン、フェノトリン、シフェノトリン、ペルメトリン、エトフェンプロックス等のピレスロイド系殺虫成分、シラフルオフェン等の有機ケイ素系殺虫成分、ジノテフラン、イミダクロプリド、クロチアニジン、チアメトキサム等のネオニコチノイド系殺虫成分、フェニトロチオン、ダイアジノン、マラソン、プロチオホス等の有機リン系殺虫成分、メトキサジアゾン等のオキサジアゾール系殺虫成分、フィプロニル等のピラゾール系殺虫成分、ピリプロキシフェン、ハイドロプレン等の昆虫成長制御剤などが挙げられる。これらの殺虫成分は、単独又は組み合わせて使用可能である。
【００６３】
ゲル状誘引剤の代表的な組成は、誘引剤の全体量に対して、酢酸を１．０〜５．０質量％、酢フレーバー類（バルサミコ酢フレーバー等）と果実及び／又は酒類フレーバー類（リンゴフレーバー、ビールフレーバー等）とを０．０５〜４．０質量％、黒砂糖を１０〜３０質量％、キサンタンガムを１．０〜５．０質量％、並びに水として調製したものである。このような混合比率で調製したゲル状誘引剤は、飛翔昆虫に対して高い誘引効果を発揮する。なお、ゲル状誘引剤の質量（使用量）は、収納部６０の容量にもよるが、１０ｇ程度が適当である。ゲル状誘引剤は、収納部６０に注入された後、収納部６０の開口部に必要に応じて不織布や有孔フィルタの覆いが設けられ、ゲル状誘引剤の収納部６０の外部への散逸が防止されるとともに、ゲル状誘引剤中の飛翔昆虫誘引成分の揮散量が調整される。
【００６４】
〔別実施形態〕
図４は、別実施形態に係る飛翔昆虫捕獲器２００の使用状態の説明図である。図４（ａ）は、飛翔昆虫捕獲器２００の斜視図である。図４（ｂ）は、飛翔昆虫捕獲器２００の正面図である。本別実施形態の飛翔昆虫捕獲器２００は、捕獲対象の飛翔昆虫として、特にハエ類を想定したものである。
【００６５】
飛翔昆虫捕獲器２００は、図１及び図２に示した飛翔昆虫捕獲器１００と同様に、本体１０と、本体１０に装着されるカバー部２０とを備え、本体１０に飛翔昆虫が付着する粘着シート３０が設置されるものであるが、カバー部２０に設けられる侵入口４０の形状及び配置が飛翔昆虫捕獲装置１００とは異なっている。ハエ類は、コバエ類よりも体長が大きいため、特に、侵入口４０のサイズを大きくすることが有効となる。本別実施形態では、侵入口４０は、図４（ｂ）に示すように、カバー部２０の幅に対する垂直二等分線ｙを中心として、線対称となる形態で複数設けられる。図４（ｂ）では、侵入口４０は、縦横に配置された１１個の細長開口部４０ｃによって構成され、１個あたりの開口面積は３〜６ｃｍ２に設定されている。この飛翔昆虫捕獲器２００は、細長開口部４０ｃが比較的大きい開口面積を有するため、ハエ類を効果的に誘引し、捕獲することが可能となる。なお、細長開口部４０ｃの配置については、図４（ｂ）のように、カバー部２０の長さ方向に沿って平行に設けることが製造上簡便なため有利であるが、カバー部２０の長さ方向に対して斜めに設けたり、あるいはランダム方向に設けることも可能である。
【実施例】
【００６６】
＜コバエ類捕獲試験＞
飛翔昆虫としてコバエ類の一種であるオオキモンノミバエを対象に、本発明の飛翔昆虫捕獲器によるコバエ類捕獲試験を実施した。表１に示すように、本発明の色の組み合わせを有する粘着シートを備えた飛翔昆虫捕獲器（実施例１〜７）と、本発明の色の組み合わせを有さない粘着シートを備えた飛翔昆虫捕獲器（比較例１〜３）とを準備した。この飛翔昆虫捕獲器は、横幅が約１１ｃｍ、長さが約１８ｃｍ、高さが最大で約２ｃｍの内部空間を有する。侵入口のサイズは、２〜１２ｃｍ２である。夫々の飛翔昆虫捕獲器に、表１に示した飛翔昆虫誘引成分を含有する誘引剤を配置し、コバエ類捕獲試験に供した。【００６７】
試験用のチャンバー（縦１．８ｍ×横１．８ｍ×高さ１．８ｍ）の床面中央に夫々の飛翔昆虫捕獲器を設置し、チャンバー内に飛翔昆虫としてオオキモンノミバエ１００匹を放った。２４時間経過後、粘着シートに捕獲されたオオキモンノミバエの数をカウントした。同じ捕獲試験を３回繰り返し、平均捕獲数を求めた。試験結果を表１に示す。【００６８】
【表１】
0006029690.tif 000002
【００６９】
実施例１〜７の飛翔昆虫捕獲器では、オオキモンノミバエの捕獲数が２３匹以上となり、十分な捕獲性能が示された。特に、海島模様について背景領域を色相番号４（赤みの橙）で着色し、島状部を色相番号７（赤みの黄）又は色相番号８（黄）で着色したもの（実施例１，２）は、オオキモンノミバエの捕獲数が４０匹以上に達しており、優れた捕獲性能が示された。このように、飛翔昆虫捕獲器において本発明の色の組み合わせを有する粘着シートを使用すると、コバエ類の一種であるオオキモンノミバエを効果的に誘引できることが確認された。【００７０】
一方、比較例１〜３の飛翔昆虫捕獲器では、オオキモンノミバエの捕獲数が２０匹以下となり、捕獲性能は十分とは言えなかった。比較例の飛翔昆虫捕獲器は、飛翔昆虫誘引成分を含有する誘引剤を備えるものであっても（比較例１〜３）、粘着シートとして本発明の色の組み合わせを有さないものを使用していたため、実施例１〜７と比べて捕獲性能が劣る結果となった。【００７１】
＜ハエ類捕獲試験＞
飛翔昆虫としてハエ類の一種であるイエバエを対象に、本発明の飛翔昆虫捕獲器によるハエ類捕獲試験を実施した。表２に示すように、本発明の色の組み合わせを有する粘着シートを備えた飛翔昆虫捕獲器（実施例８〜１７）と、本発明の色の組み合わせを有さない粘着シートを備えた飛翔昆虫捕獲器（比較例４〜７）とを準備した。この飛翔昆虫捕獲器は、横幅が約１１ｃｍ、長さが約１８ｃｍ、高さが最大で約２ｃｍの内部空間を有する。侵入口のサイズは、２〜１２ｃｍ２である。夫々の飛翔昆虫捕獲器に、表２に示した飛翔昆虫誘引成分を含有する誘引剤を配置し（実施例１３、比較例７を除く）、ハエ類捕獲試験に供した。【００７２】
試験用のチャンバー（縦１．８ｍ×横１．８ｍ×高さ１．８ｍ）の床面中央に夫々の飛翔昆虫捕獲器を設置し、チャンバー内に飛翔昆虫としてイエバエ１００匹を放った。２４時間経過後、粘着シートに捕獲されたイエバエの数をカウントした。同じ捕獲試験を２回繰り返し、平均捕獲数を求めた。試験結果を表２に示す。【００７３】
【表２】
0006029690.tif 000003
【００７４】
実施例８〜１７の飛翔昆虫捕獲器では、イエバエの捕獲数が２３匹以上となり、十分な捕獲性能が示された。特に、海島模様について背景領域を色相番号４（赤みの橙）又は色相番号５（橙）で着色し、島状部を色相番号８（黄）で着色したもの（実施例１０，１１，１４〜１７）は、イエバエの捕獲数が４０匹以上に達しており、優れた捕獲性能が示された。このように、飛翔昆虫捕獲器において本発明の色の組み合わせを有する粘着シートを使用すると、ハエ類の一種であるイエバエを効果的に誘引できることが確認された。【００７５】
一方、比較例４〜７の飛翔昆虫捕獲器では、イエバエの捕獲数が２０匹以下となり、捕獲性能は十分とは言えなかった。比較例の飛翔昆虫捕獲器は、飛翔昆虫誘引成分を含有する誘引剤を備えるものであっても（比較例４〜６）、粘着シートとして本発明の色の組み合わせを有さないものを使用していたため、実施例８〜１７と比べて捕獲性能が劣る結果となった。
【産業上の利用可能性】
【００７６】
本発明の飛翔昆虫捕獲器は、コバエ類、ハエ類等の飛翔昆虫を捕獲する用途において利用されるものであるが、ユスリカやハチ類等の他の飛翔昆虫を捕獲する用途にも利用可能である。
【符号の説明】
【００７７】
１０      本体
１３      支持部
１４      フック部
２０      カバー部
３０      粘着シート
４０      侵入口
４０ａ    中央開口部
４０ｂ    湾曲開口部
４０ｃ    細長開口部
５０      押さえ部
６０      収納部
１００    飛翔昆虫捕獲器
２００    飛翔昆虫捕獲器
Ｐ        背景領域
Ｑ        島状部
Ｑ１      円形島状部
Ｑ２      楕円形島状部
Ｑ３      半円形島状部
Ｓ        内部空間
【図１】
0006029690.tif 000004
【図２】
0006029690.tif 000005
【図３】
0006029690.tif 000006
【図４】
0006029690.tif 000007